(57)【要約】【課題】物品に付されるラベルに印字を行い、印字されたラベルを発行するラベル発行装置であって、物品が特定物質を含むことを示す表記の視認性が高く、物品に含まれる特定物質の誤認が発生しにくいラベルを発行するラベル発行装置を提供する。【解決手段】計量プリンタは、商品に付されるラベルＬ１に印字を行う第１印字部を備え、第１印字部で印字されたラベルを発行する。第１印字部は、商品がアレルギー物質を含むことをラベルに印字する場合に、アレルギー物質を表す図形およびアレルギー物質を表す文字を含むマークＭによって、アレルギー物質が表記されるように、ラベルに印字を行う。【選択図】図３
2016144915.tif 000002
【特許請求の範囲】
【請求項１】
物品に付されるラベルに印字を行う第１印字部を備え、前記第１印字部で印字された前記ラベルを発行するラベル発行装置であって、
前記第１印字部は、前記物品が特定物質を含むことを前記ラベルに印字する場合に、前記特定物質を表す図形および前記特定物質を表す文字を含むマークによって、前記特定物質が表記されるように、前記ラベルに印字を行う、
ラベル発行装置。
【請求項２】
前記ラベルに印字される前記マークの数に基づいて、前記マークを印字するマーク印字用領域のサイズを調整する、領域サイズ調整部と、
前記マーク印字用領域のサイズに基づいて、前記ラベルの長さを調整する、ラベル長調整部と、を更に備える、
請求項１に記載のラベル発行装置。
【請求項３】
前記第１印字部は、前記マークを前記ラベルにカラーで印字する、
請求項１又は２に記載のラベル発行装置。
【請求項４】
前記第１印字部とは別の、前記ラベルに白黒で印字を行う第２印字部を更に備え、
前記第２印字部は、前記物品が前記特定物質を含むことを前記ラベルに印字する以外の場合に、前記ラベルに印字を行う、
請求項３に記載のラベル発行装置。
【請求項５】
前記第１印字部は、前記マークを含む、前記物品が前記特定物質を含むことを示すための内容だけを前記ラベルに印字する、
請求項４に記載のラベル発行装置。
【請求項６】
前記特定物質には複数の種類があり、
当該ラベル発行装置は、前記第１印字部が前記マークを前記ラベルに印字する色を、前記特定物質の種類別に設定する印字色設定部を更に備える、
請求項３から５のいずれか１項に記載のラベル発行装置。
【請求項７】
前記ラベルの印字のレイアウトを設定するレイアウト設定部を更に備え、
前記第１印字部は、マーク印字欄を更に印字し、前記マーク印字欄内に前記マークを印字し、
前記レイアウト設定部は、所定の様式に従って、前記マーク印字欄内の前記マークの印字のレイアウトを設定する、
請求項１から６のいずれか１項に記載のラベル発行装置。
【請求項８】
前記特定物質は、アレルギー物質である、
請求項１から７のいずれか１項に記載のラベル発行装置。
【請求項９】
前記第１印字部は、前記物品がアレルギー症状の重い前記アレルギー物質を含むことを前記ラベルに印字する場合に、該アレルギー物質を表記する前記マークが強調して表記されるよう、前記ラベルに印字を行う、
請求項８に記載のラベル発行装置。
【請求項１０】
前記第１印字部は、前記物品がアレルギー症状の重い前記アレルギー物質を含まない場合に、該アレルギー物質を含まないことが表記されるよう、前記ラベルに印字を行う、
請求項８に記載のラベル発行装置。
【発明の詳細な説明】
【技術分野】
【０００１】
本発明は、ラベル発行装置、特に、物品に付されるラベルに印字を行い、印字されたラベルを発行するラベル発行装置に関する。
【背景技術】
【０００２】
食の安全・安心への要求が高まる中、健康や生命を左右する物質等が物品に含まれているか否かを、消費者等に分かりやすく提示することが益々求められている。
【０００３】
特許文献１（特開２００２−３６１９４１号公報）には、アレルギー物質名のリストを印字するとともに、アレルギー物質名に印を付すことで、そのアレルギー物質が物品に含まれていることを示すラベルを印字するラベル発行装置が開示されている。
【発明の概要】
【発明が解決しようとする課題】
【０００４】
しかし、このような、リストされた物質名に印を付したラベルでは、物品に含まれているとして表記されている物質名を、他の物質名と誤認する事態が生じやすい。また、リストされた物質名に印を付したラベルでは、瞬時に含有を示している物質を認識することが困難で、消費者等がラベルの確認に長時間を要し、不便である。
【０００５】
本発明の課題は、物品に付されるラベルに印字を行い、印字されたラベルを発行するラベル発行装置であって、物品が特定物質を含むことを示す表記の視認性が高く、物品に含まれる特定物質の誤認が発生しにくいラベルを発行するラベル発行装置を提供することにある。
【課題を解決するための手段】
【０００６】
本発明の第１観点に係るラベル発行装置は、物品に付されるラベルに印字を行う第１印字部を備え、第１印字部で印字されたラベルを発行する。第１印字部は、物品が特定物質を含むことをラベルに印字する場合に、特定物質を表す図形および特定物質を表す文字を含むマークによって、特定物質が表記されるように、ラベルに印字を行う。
【０００７】
本発明の第１観点に係るラベル発行装置では、物品が特定物質を含むことを示すためのラベルとして、特定物質を表す図形および文字を含むマークが印字されたラベルが発行される。マークが印字されたラベルは、特定物質の表記の視認性が高いため、消費者等はラベルが付された物品に含まれる特定物質を、短時間で、正確に認識できる。
【０００８】
本発明の第２観点に係るラベル発行装置は、第１観点に係るラベル発行装置であって、領域サイズ調整部と、ラベル長調整部と、を更に備える。領域サイズ調整部は、ラベルに印字されるマークの数に基づいて、マークを印字するマーク印字用領域のサイズを調整する。ラベル長調整部は、マーク印字用領域のサイズに基づいて、ラベルの長さを調整する。
【０００９】
本発明の第２観点に係るラベル発行装置では、マークの数に基づいてマーク印字用領域のサイズが調整されるため、ラベルの、何も印字されない無駄な余白を抑制できる。そして、マーク印字用領域のサイズに基づいてラベルの長さが調整されるため、ラベルロールを節約でき経済的である。
【００１０】
本発明の第３観点に係るラベル発行装置は、第１観点又は第２観点に係るラベル発行装置であって、第１印字部は、マークをラベルにカラーで印字する。
【００１１】
本発明の第３観点に係るラベル発行装置では、ラベルにマークがカラー印字されるため、特定物質の表記の視認性が特に高く、消費者等が、ラベルに印字されたマークを見落としにくく、ラベルが付された物品に含まれる特定物質を短時間で正確に認識しやすい。
【００１２】
本発明の第４観点に係るラベル発行装置は、第３観点に係るラベル発行装置であって、第１印字部とは別の、ラベルに白黒で印字を行う第２印字部を更に備える。第２印字部は、物品が特定物質を含むことをラベルに印字する以外の場合に、ラベルに印字を行う。
【００１３】
本発明の第４観点に係るラベル発行装置では、特定物質を表記するマークが第１印字部によりカラー印字され、一方で物品が特定物質を含むことをラベルに印字する以外の場合（すなわち、マークの印字が不要な場合）には、第２印字部がラベルを白黒で印字するため、ラベルの作成費用の増大を抑制することができる。
【００１４】
本発明の第５観点に係るラベル発行装置は、第４観点に係るラベル発行装置であって、第１印字部は、マークを含む、物品が特定物質を含むことを示すための内容だけをラベルに印字する。
【００１５】
本発明の第５観点に係るラベル発行装置では、カラー印字可能な第１印字部は、物品が特定物質を含むことを示すための内容をラベルに印字するためだけに用いられ、その他の内容は、白黒で印字を行う第２印字部により印字されるため、特定物質を表記するマークをカラー印字しても、カラー印字可能な第１印字部を用いることで生じるラベルの作成費用の増大は、最小限に抑制することができる。
【００１６】
本発明の第６観点に係るラベル発行装置は、第３観点から第５観点のいずれかに係るラベル発行装置であって、特定物質には複数の種類がある。当該ラベル発行装置は、印字色設定部を更に備える。印字色設定部は、第１印字部がマークをラベルに印字する色を、特定物質の種類別に設定する。
【００１７】
本発明の第６観点に係るラベル発行装置では、特定物質に複数の種類がある場合に、その種類別に設定された色で、ラベルにマークが印字されるため、特定物質の種類を、図形および文字だけではなく、更に色によっても認識できる。そのため、ラベルの特定物質の表記の視認性をより高めることができる。
【００１８】
本発明の第７観点に係るラベル発行装置は、第１観点から第６観点のいずれかに係るラベル発行装置であって、レイアウト設定部を更に備える。レイアウト設定部は、ラベルの印字のレイアウトを設定する。第１印字部は、マーク印字欄を更に印字し、マーク印字欄内にマークを印字する。レイアウト設定部は、所定の様式に従って、マーク印字欄内のマークの印字のレイアウトを設定する。
【００１９】
本発明の第７観点に係るラベル発行装置では、マーク印字欄内におけるマークの印字のレイアウトが所定の様式に従って設定されるため、ラベルのマーク印字欄に、マークを視認性が高くなるように配置することができる。
【００２０】
本発明の第８観点に係るラベル発行装置は、第１観点から第７観点のいずれかに係るラベル発行装置であって、特定物質は、アレルギー物質である。
【００２１】
本発明の第８観点に係るラベル発行装置では、マークによるアレルギー物質の表記の視認性が高いため、消費者等はラベルが付された物品に含まれるアレルギー物質を、短時間で、正確に認識できる。
【００２２】
本発明の第９観点に係るラベル発行装置は、第８観点に係るラベル発行装置であって、第１印字部は、物品がアレルギー症状の重いアレルギー物質を含むことをラベルに印字する場合に、該アレルギー物質を表記するマークが強調して表記されるよう、ラベルに印字を行う。
【００２３】
本発明の第９観点に係るラベル発行装置では、アレルギー症状の重いアレルギー物質を表記するマークの視認性を高めることが可能で、消費者等がアレルギー症状の重いアレルギー物質の含有を見落とす可能性を特に低減できる。
【００２４】
本発明の第１０観点に係るラベル発行装置は、第８観点に係るラベル発行装置であって、第１印字部は、物品がアレルギー症状の重いアレルギー物質を含まない場合に、該アレルギー物質を含まないことが表記されるよう、ラベルに印字を行う。
【００２５】
本発明の第１０観点に係るラベル発行装置では、アレルギー症状の重いアレルギー物質が物品に含まれないことがラベルに印字されるため、該アレルギー物質にアレルギーを持つ消費者が、該アレルギー物質を含まない商品であることを容易に認識可能で、安心して商品を購入することができる。
【発明の効果】
【００２６】
本発明に係るラベル発行装置では、物品が特定物質を含むことを示すためのラベルとして、特定物質を表す図形および文字を含むマークが印字されたラベルを発行される。マークが印字されたラベルは、特定物質の表記の視認性が高いため、消費者等はラベルが付された物品に含まれる特定物質を、短時間で、正確に認識できる。
【図面の簡単な説明】
【００２７】
【図１】本発明のラベル発行装置の第１実施形態に係る計量プリンタの斜視図である。
【図２】図１の計量プリンタのブロック図である。
【図３】図１の計量プリンタの第１印字部により印字されるラベルの例である。
【図４】図１の計量プリンタの第２印字部により印字されるラベルの例である。
【図５】図３のラベルにおいて、マーク印字用領域のサイズを調整せずに、アレルギー物質を表すマークの数を３個に減らした状態を示す図である。
【図６Ａ】図１の計量プリンタの第１印字部により印字されるラベルの他の例である。図３のラベルに比べ、マーク印字用領域のサイズ（高さ）が小さく調整されている。
【図６Ｂ】図１の計量プリンタの第１印字部により印字されるラベルの他の例である。図３のラベルに比べ、マーク印字用領域のサイズ（高さ）が大きく調整されている。
【図７】図１の計量プリンタの第１印字部により印字されるラベルの他の例である。レイアウト設定部により、マークの印字位置がマーク印字用領域内でセンタリングされている。
【図８】図１の計量プリンタのラベルの発行処理のフローチャートである。
【図９】変形例１Ｄの計量プリンタの第１印字部により印字されるラベルの例である。ラベルには、商品がアレルギー物質を含むことを示すための内容だけが印字されている。
【図１０】変形例１Ｅの計量プリンタの第１印字部により印字されるラベルの例である。アレルギー症状の重いアレルギー物質を表すマークが、ラベルに強調して（他のアレルギー物質を示すマークより大きく）表記されている。
【図１１】変形例１Ｆの計量プリンタの第１印字部により印字されるラベルの例である。商品がアレルギー症状の重いアレルギー物質を含まないことが、ラベルに表記されている。
【図１２】変形例１Ｇの計量プリンタの第１印字部により印字されるラベルの例である。
【図１３】本発明のラベル発行装置の第２実施形態に係る計量プリンタの斜視図である。
【図１４】図１３の計量プリンタのブロック図である。
【発明を実施するための形態】
【００２８】
本発明に係るラベル発行装置の実施形態を以下に示す。なお、以下の実施形態は、具体例に過ぎず、本発明の範囲を限定するものではない。
【００２９】
＜第１実施形態＞
本発明のラベル発行装置の第１実施形態に係る計量プリンタ１０について、図面を参照しながら説明する。
【００３０】
（１）全体構成
図１に計量プリンタ１０の外観斜視図を示す。
【００３１】
計量プリンタ１０は、食品等の商品（物品）に貼付するためのラベルを印字し、発行する装置である。具体的には、計量プリンタ１０は、ある商品について、その重量を計量し、その商品に関する各種情報や計量値に基づく内容をラベルに印字し、印字済みのラベル（図３および図４参照）を発行する装置である。計量プリンタ１０は、アレルギー物質（特定物質の一例）を含有する商品に貼付されるラベルに、その商品に含有されるアレルギー物質（アレルギー物質の種類を特定可能な情報）を印字するよう構成される。計量プリンタ１０は、例えば、スーパーマーケット等の店舗に設置される。
【００３２】
計量プリンタ１０は、図１および図２に示すように、通信部２０と、計量部３０と、液晶モニタ４０と、操作パネル５０と、第１印字部６０と、第２印字部７０と、制御ユニット８０と、を主に有する。
【００３３】
（２）詳細構成
計量プリンタ１０の通信部２０、計量部３０、液晶モニタ４０、操作パネル５０、第１印字部６０、第２印字部７０、および制御ユニット８０について詳細に説明する。
【００３４】
（２−１）通信部
通信部２０は、計量プリンタ１０と、後述する店舗サーバ９０（図２参照）との相互の通信を可能にする通信インターフェースである。通信部２０と店舗サーバ９０とは、例えば、インターネットや専用線等の通信回線により接続されている。なお、図２では、店舗サーバ９０は、１台の計量プリンタ１０とのみ接続されているが、これに限定されるものではない。店舗サーバ９０は、複数の計量プリンタ１０と接続されてもよい。
【００３５】
店舗サーバ９０は、計量プリンタ１０がラベルに印字する際に用いる、商品情報（商品に関する各種情報）が記憶されたデータベース９１を有する。店舗サーバ９０は、例えば、計量プリンタ１０の設置された店舗と同一の店舗内に設置される。店舗サーバ９０のデータベース９１には、商品別（商品コード別）に、商品情報が記憶されている。商品情報には、原材料情報を含む。原材料情報には、商品の原材料の名称の文字列が含まれる。商品情報には、原材料情報の他、例えば、商品の名称、商品の単価、商品に含有されている食品添加物のリスト、商品の販売者名、商品の生産者名等が更に含まれてもよい。ただし、商品情報は、これらの情報に限定されるものではなく、これらの情報の一部に代えて、又は、これらの情報に加えて、他の情報が含まれてもよい。
【００３６】
店舗サーバ９０は、計量プリンタ１０と通信可能に接続されているのに加え、上位側の統括サーバ（図示せず）ともインターネットや専用線等の通信回線により接続されている。統括サーバは、通常、店舗サーバ９０とは別の場所に設置される。店舗サーバ９０のデータベース９１の内容は、店舗で取り扱われる商品の追加／削除や、商品情報の変更に伴い、統括サーバにより定期的に（例えば、一日に一度）更新される。
【００３７】
（２−２）計量部
計量部３０は、商品の重量を計量する電子はかりである。計量部３０は、計量プリンタ１０の前方側に設けられている（図１参照）。計量部３０は、発行されたラベルを貼り付ける対象となる商品の重量を計量する。計量部３０は、計量プリンタ１０の使用者（以後、単に使用者と呼ぶ場合がある）が計量皿３０ａ（図１参照）上に置いた商品の重量を計量し、計量値を制御ユニット８０に送信する。
【００３８】
（２−３）液晶モニタ
液晶モニタ４０は、タッチパネルモニタである。液晶モニタ４０は、計量プリンタ１０の上部に取り付けられている（図１参照）。液晶モニタ４０には、使用者に対する各種情報が表示される。また、液晶モニタ４０には、使用者に操作を促すための種々の画面が表示される。
【００３９】
液晶モニタ４０は、入力部としても機能する。具体的には、液晶モニタ４０は、使用者による各種操作を入力として受け付ける。
【００４０】
（２−４）操作パネル
操作パネル５０は、入力部として機能する。操作パネル５０は、計量プリンタ１０の使用者による各種操作を入力として受け付けるキーである。操作パネル５０は、計量プリンタ１０の上面に配置される（図１参照）。
【００４１】
具体的には、操作パネル５０は、例えば、選択した商品に関する情報を呼び出すための呼出キー、ラベルの発行対象の商品を選択するためのテンキー、直接タッチすることによって商品を指定し、その商品に関する情報を呼び出すためのＰＬＵ（Price Look Up）キー等を有する。ただし、操作パネル５０のキーの種類は例示であり、これらに限定されるものではない。
【００４２】
（２−５）第１印字部
第１印字部６０は、商品に付されるラベルに印字を行う。第１印字部６０により印字されるラベルをラベルＬ１と呼ぶ。第１印字部６０により印字されたラベルＬ１は、計量プリンタ１０の前面に設けられたラベル発行口６０ａ（図１参照）から発行される。
【００４３】
第１印字部６０は、アレルギー物質が含有されている商品に関し、所定の内容をラベルＬ１に印字する。なお、ここでは、特定原材料と呼ばれる７種類のアレルギー物質（そば、落花生、卵、かに、乳、小麦、えび）のことを、アレルギー物質と呼ぶ。
【００４４】
第１印字部６０は、カラープリンタである。第１印字部６０は、例えば、インクジェット方式のプリンタである。ただし、第１印字部６０の印字方式は例示であって、熱転写式等、種々の印字方式を利用可能である。
【００４５】
第１印字部６０は、切断手段６０ｂを有する。第１印字部６０は、ラベルロール（図示せず）から繰り出されるラベルシート（図示せず）に所定の内容を印字し、切断手段６０ｂにより切断してラベルＬ１とする。切断手段６０ｂによるラベルシートの切断位置は、後述する制御ユニット８０の制御部８１のラベル長調整部８１ｄが決定したラベルの長さに基づいて決定される。
【００４６】
ラベルＬ１に印字される所定の内容には、アレルギー物質の表記が含まれる（図３参照）。第１印字部６０は、ラベルＬ１の印字対象の商品が含むアレルギー物質が、そのアレルギー物質を表す図形と、そのアレルギー物質を表す文字（アレルギー物質の名称）とを含むマークＭによって表記されるよう、ラベルＬ１に印字を行う（図３参照）。
【００４７】
第１印字部６０は、マークＭをラベルＬ１にカラーで印字する。マークＭを印字する色は、後述する制御ユニット８０の制御部８１の印字色設定部８１ｅにより、アレルギー物質の種類別に設定されている。
【００４８】
第１印字部６０は、マーク印字欄（枠線）Ｂを印字し、マーク印字欄Ｂ内にマークＭを印字する（図３参照）。マーク印字欄Ｂ内のマークＭの印字のレイアウトは、後述する制御ユニット８０の制御部８１のレイアウト設定部８１ｃにより設定される。
【００４９】
ラベルＬ１に印字される所定の内容には、アレルギー物質の表記の他に、図３のように、例えば、商品名、商品の単価（単位重量あたりの価格）、商品の重量、商品の価格、商品の原材料名、商品に使用されている食品添加物名、商品の販売者名等が含まれる。ただし、ラベルＬ１に印字される所定の内容は、これらの項目に限定されるものではなく、これらの項目の一部に代えて、又は、これらの項目に加えて、他の項目が含まれてもよい。
【００５０】
第１印字部６０は、アレルギー物質を表記するマークＭ以外については、ラベルＬ１に単色（例えば黒色）で印字する。ただし、これに限定されるものではなく、第１印字部６０は、マークＭ以外の印字に、複数の色を用いてもよい。
【００５１】
（２−６）第２印字部
第２印字部７０は、商品に付されるラベルに印字を行う。第２印字部７０により印字されるラベルをラベルＬ２と呼ぶ。第２印字部７０により印字されたラベルＬ２は、計量プリンタ１０の前面に設けられたラベル発行口７０ａ（図１参照）から発行される。
【００５２】
第２印字部７０は、アレルギー物質が含有されていない商品に関し、所定の内容をラベルＬ２に印字する。つまり、第２印字部７０は、第１印字部６０によりラベルが印字されない商品に関し、所定の内容をラベルＬ２に印字する。
【００５３】
第２印字部７０は、モノクロ（白黒）プリンタである。第２印字部７０は、例えば、ダイレクトサーマル方式のプリンタである。ただし、第２印字部７０の印字方式は例示であって、熱転写式、インクジェット式等、種々の印字方式を利用可能である。
【００５４】
第２印字部７０は、切断手段７０ｂを有する。第２印字部７０は、第１印字部６０と同様に、ラベルロール（図示せず）から繰り出されるラベルシート（図示せず）に所定の内容を印字し、切断手段７０ｂにより切断してラベルＬ２とする。切断手段７０ｂによるラベルシートの切断位置は、後述する制御ユニット８０の制御部８１のラベル長調整部８１ｄが決定したラベルの長さに基づいて決定される。
【００５５】
ラベルＬ２に印字される所定の内容には、アレルギー物質を表記するマークＭは含まれない（図４参照）。ラベルＬ２に印字される所定の内容には、図４のように、例えば、商品名、商品の単価（単位重量あたりの価格）、商品の重量、商品の価格、商品の原材料名、商品に使用されている食品添加物名、商品の販売者名等が含まれる。ただし、ラベルＬ２に印字される所定の内容は、これらの項目に限定されるものではなく、これらの項目の一部に代えて、又は、これらの項目に加えて、他の項目が含まれてもよい。
【００５６】
（２−７）制御ユニット
制御ユニット８０は、通信部２０、計量部３０、液晶モニタ４０、操作パネル５０、第１印字部６０、および第２印字部７０と電気的に接続されている（図２参照）。制御ユニット８０は、接続された計量プリンタ１０の各構成から各種情報を受け付けると共に、各構成の動作を制御する。
【００５７】
制御ユニット８０は、主にＣＰＵから構成される制御部８１と、主にＲＯＭ、ＲＡＭ等から構成される記憶部８２と、を含む。制御部８１は、記憶部８２に記憶されたプログラムを実行することで、計量プリンタ１０の各部の制御を行う。記憶部８２は、制御部８１が実行するためのプログラムの他、各種情報を記憶する。
【００５８】
制御部８１は、ラベルの印字に関連する機能部として、印字内容決定部８１ａ、領域サイズ調整部８１ｂ、レイアウト設定部８１ｃ、ラベル長調整部８１ｄ、印字色設定部８１ｅ、および印字制御部８１ｆを有する。
【００５９】
（２−７−１）印字内容決定部
印字内容決定部８１ａは、店舗サーバ９０のデータベース９１から読み出された商品情報や、計量部３０の計量値等に基づいて、ラベル（ラベルＬ１，Ｌ２）に印字される印字内容を決定する。例えば、印字内容決定部８１ａは、商品情報に含まれる所定の項目（例えば、商品名、商品の単価、商品の原材料名、商品に使用されている食品添加物名、商品の販売者名等）を印字内容に決定する。また、例えば、印字内容決定部８１ａは、計量部３０から制御ユニット８０に送信される計量値を、商品の重量として印字内容に決定する。また、例えば、印字内容決定部８１ａは、商品の単価と計量部３０の計量値との乗算を行い、単価と計量値との積を、商品の価格として印字内容に決定する。
【００６０】
また、印字内容決定部８１ａは、商品情報に含まれる原材料情報に基づいて、ラベルの発行対象の商品にアレルギー物質が含まれているか判断する。アレルギー物質が含まれていると判断される場合、印字内容決定部８１ａは、そのアレルギー物質を表記するマークＭを印字内容に決定する。
【００６１】
印字内容決定部８１ａは、商品情報に含まれる原材料情報に基づいて、ラベルの発行対象の商品にアレルギー物質が含まれているかを判断する。具体的には、印字内容決定部８１ａは、店舗サーバ９０のデータベース９１から読み出された商品の原材料情報に含まれる商品の原材料名の文字列検索に基づいて、商品にアレルギー物質が含まれているかを判断する。
【００６２】
判断処理について具体例を挙げて説明する。記憶部８２には、例えば「そば／蕎麦」、「落花生」、「卵」、・・・等のアレルギー物質の名称が予め記憶されている。印字内容決定部８１ａは、データベース９１から読み出された商品の原材料情報に含まれる商品の原材料名に、記憶部８２に含まれているアレルギー物質の名称が含まれているか、文字列検索を行う。例えば、原材料名に、「そば／蕎麦」という文字列が含まれていれば、印字内容決定部８１ａは、商品が「そば」をアレルギー物質として含んでいると判断する。印字内容決定部８１ａは、全ての（ここでは７種類の）アレルギー物質について、商品にアレルギー物質が含まれているか判断する。
【００６３】
なお、印字内容決定部８１ａによる判断処理は一例であって、これに限定されるものではない。例えば、データベース９１に、商品情報の一部として、商品が含むアレルギー物質を特定するデータ（例えば、商品が含むアレルギー物質名や、商品が含むアレルギー物質を特定可能なコード等）が記憶されている場合には、印字内容決定部８１ａは、商品が含むアレルギー物質のデータに基づいて、商品にアレルギー物質が含まれているかを判断してもよい。
【００６４】
印字内容決定部８１ａが、１種類以上のアレルギー物質について、アレルギー物質を表記するマークＭを印字内容に決定した場合には、印字内容決定部８１ａの決定する印字内容は、第１印字部６０により印字される。一方、印字内容決定部８１ａが、全てのアレルギー物質について、アレルギー物質を表記するマークＭを印字内容に含めないことを決定した場合には、印字内容決定部８１ａの決定する印字内容は、第２印字部７０により印字される。
【００６５】
（２−７−２）領域サイズ調整部
領域サイズ調整部８１ｂは、印字内容決定部８１ａにより決定された印字内容に基づいて、印字内容に含まれる各項目について、その項目を印字するための領域のサイズを調整する。なお、領域の配置（つまり、印字内容中のどの項目を、どこに印字するか）については、デフォルトで、あるいは、入力部（液晶モニタ４０および／又は操作パネル５０）からの入力により決定されている。領域サイズ調整部８１ｂは、印字内容に基づいて（例えば、印字内容の各項目の文字数等に基づいて）、各領域のサイズを調整する。
【００６６】
領域サイズ調整部８１ｂは、印字内容決定部８１ａにより決定された印字内容にアレルギー物質を表記するマークＭが含まれていた場合には、マークＭを印字するマーク印字用領域Ｒのサイズを調整する。
【００６７】
マーク印字用領域Ｒは、マークＭを印字するための印字領域である。ここでは、マーク印字用領域Ｒは、マーク印字欄Ｂ内の領域である（図３参照）。ただし、これに限定されるものではなく、例えば、第１印字部６０がマーク印字欄Ｂを印字しないよう設定される場合には、マーク印字用領域Ｒは、ラベルＬ１を見ても特定できない領域であってもよい。
【００６８】
本実施形態では、マーク印字用領域Ｒ（マーク印字欄Ｂ内）には、マークＭが、横方向に最大３個印字される（図３参照）。そして、マークＭの数が３個より多い場合には、マークＭが複数段に印字される（図３参照）。
【００６９】
例えば、表記するマークＭが３個の場合に、その３個のマークＭを、マークＭを２段に印字可能なサイズのマーク印字用領域Ｒ（図３参照）に印字したとする。この場合には、図５のように、ラベル内に無駄な余白が多く存在し、印字量に対して、無駄に第１印字部６０のラベルロールが消耗される。また、例えば、ラベルに印字されるマークＭの数が７個の場合には、マークＭを２段に印字する場合と同じサイズの印字用領域Ｒ（図３参照）には、マークＭの全てを印字しきれない。
【００７０】
そこで、領域サイズ調整部８１ｂは、印字内容決定部８１ａにより決定される印字内容が、アレルギー物質を表記するマークＭを含む場合に、ラベルに印字されるマークＭの数に基づいて、マークＭを印字するマーク印字用領域Ｒのサイズを調整する。
【００７１】
具体的には、領域サイズ調整部８１ｂは、ラベルＬ１に印字されるマークＭの数が３個以下であれば、図６Ａのようにマーク印字用領域Ｒの高さ（縦方向の長さ）をＲＨ１に調整する。領域サイズ調整部８１ｂは、ラベルＬ１に印字されるマークＭの数が４個以上６個以下であれば、図３のようにマーク印字用領域Ｒの高さをＲＨ２（ＲＨ２＞ＲＨ１）に調整する。領域サイズ調整部８１ｂは、ラベルＬ１に印字されるマークＭの数が７個であれば、図６Ｂのようにマーク印字用領域Ｒの高さをＲＨ３（ＲＨ３＞ＲＨ２）に調整する。
【００７２】
なお、マーク印字用領域Ｒに、マークＭを横方向に最大３個まで印字するという構成は、例示であって、これに限定されるものではない。例えば、マーク印字用領域Ｒには、マークＭが横方向に２個以下しか印字されなくてもよい。また、例えば、マーク印字用領域Ｒには、マークＭが横方向に４個以上印字されてもよい。これらの場合にも、領域サイズ調整部８１ｂは、ラベルに印字されるマークＭの数に基づいて、マーク印字用領域Ｒの高さを調整するよう構成される。
【００７３】
（２−７−３）レイアウト設定部
レイアウト設定部８１ｃは、ラベル（ラベルＬ１，Ｌ２）の印字のレイアウトを設定する。具体的には、レイアウト設定部８１ｃは、印字内容決定部８１ａにより決定される印字内容に含まれる各項目が、それぞれラベルの所定位置に配置されるように印字のレイアウトを設定する。
【００７４】
レイアウト設定部８１ｃは、印字内容決定部８１ａにより決定される印字内容にマークＭが含まれる場合には、マークＭに関して、マーク印字欄Ｂ内のマークＭの印字のレイアウトを、所定の様式に従って設定する。具体的には、レイアウト設定部８１ｃは、マーク印字欄Ｂ内において、（特に、マークＭが横方向に３個並んでいない場合に）マークＭの位置をセンタリングする。例えば、マーク印字欄Ｂ内にマークＭが２個だけ印字される場合、レイアウト設定部８１ｃは、図７のように、マーク印字欄Ｂ内の横方向における中央部に２個のマークＭを配置する。
【００７５】
なお、レイアウト設定部８１ｃがマークＭの印字のレイアウトを設定する際に用いる所定の様式は、マークＭの位置をマーク印字欄Ｂ内でセンタリングするものに限定されない。例えば、所定の様式は、マークＭをマーク印字欄Ｂ内で左寄せするものであってもよい。所定の様式は、マークＭが見やすくなるように、適宜決定されればよい。
【００７６】
（２−７−４）ラベル長調整部
ラベル長調整部８１ｄは、領域サイズ調整部８１ｂにより調整された、印字内容に含まれる各項目を印字するための領域のサイズに基づいて、ラベル（ラベルＬ１，Ｌ２）の長さ、つまり、ラベルの高さ（縦方向の長さ）を調整する。
【００７７】
ラベル長調整部８１ｄは、印字内容にアレルギー物質を表記するマークＭが含まれている場合には、マーク印字用領域Ｒのサイズ（高さ）や、マークＭ以外の項目を印字するための領域のサイズ（高さ）に基づいて、ラベルの長さを調整する。具体的には、ラベル長調整部８１ｄは、例えば、マーク印字用領域ＲのサイズやマークＭ以外の項目を印字するための領域のサイズに基づいて、ラベル内に無駄な余白ができるだけ生じないように、かつ、各項目を印字するための領域同士が重なることがないように、ラベルの長さを調整する。ラベル長調整部８１ｄは、例えば、図３、図６Ａおよび図６Ｂのように、マーク印字用領域Ｒの高さがＲＨ１，ＲＨ２（＞ＲＨ１），ＲＨ３（＞ＲＨ２）と大きくなるのに従って、ラベルＬ１の長さをＨ１，Ｈ２（＞Ｈ１），Ｈ３（＞Ｈ２）と長くなるように調整する。
【００７８】
（２−７−５）印字色設定部
印字色設定部８１ｅは、第１印字部６０がマークＭをラベルＬ１に印字する色を、アレルギー物質の種類別に設定する。
【００７９】
印字色設定部８１ｅは、例えば、記憶部８２に予め記憶されたアレルギー物質名と色とを関連付けたテーブルに基づき、「そば」は「紫」、「落花生」は茶色、「卵」は「緑」、「かに」は「赤」、「乳」は「青」、「小麦」は「黄」、「海老」は「橙」等、各アレルギー物質のマークＭの色を、それぞれ異なる色に設定する。
【００８０】
なお、記憶部８２に記憶されるアレルギー物質名と色とを関連付けたテーブルは、計量プリンタ１０の使用者が、液晶モニタ４０や操作パネル５０を介して変更することが可能に構成されてもよい。
【００８１】
また、ここでは、印字色設定部８１ｅは、各アレルギー物質のマークＭの色を、それぞれ異なる色に設定するが、これに限定されるものではない。印字色設定部８１ｅは、一部又は全部のアレルギー物質のマークＭの色を、同一に設定してもよい。
【００８２】
（２−７−６）印字制御部
印字制御部８１ｆは、第１印字部６０および第２印字部７０を制御し、第１印字部６０および第２印字部７０にラベルの印字を実行させる。
【００８３】
印字制御部８１ｆは、印字内容決定部８１ａが決定した印字内容がアレルギー物質を表記するマークＭを含む場合には、第１印字部６０にラベルＬ１の印字の実行を指示する。一方、印字制御部８１ｆは、印字内容決定部８１ａが決定した印字内容がアレルギー物質を表記するマークＭを含まない場合には、第２印字部７０にラベルＬ２の印字の実行を指示する。
【００８４】
第１印字部６０および第２印字部７０は、印字内容決定部８１ａが決定した印字内容、領域サイズ調整部８１ｂにより調整された印字内容の各項目を印字するための領域のサイズ、レイアウト設定部８１ｃにより設定されたラベルの印字のレイアウト、ラベル長調整部８１ｄにより調整されたラベルの長さ（第１印字部６０については、更に印字色設定部８１ｅにより設定された各アレルギー物質のマークＭの色）等に基づいて、ラベルを印字し、発行する。
【００８５】
（３）ラベル発行処理の流れ
計量プリンタ１０のラベル（ラベルＬ１，Ｌ２）の発行処理の流れについて、図８のフローチャートを用いて説明する。
【００８６】
ある商品についてラベルを発行しようとする場合、計量プリンタ１０の使用者は、入力部（液晶モニタ４０および／又は操作パネル５０）を介して、ラベルを発行しようとする対象の商品を選択する（ステップＳ１）。
【００８７】
ステップＳ１で入力部（液晶モニタ４０および／又は操作パネル５０）が商品選択操作を受け付けると、制御部８１は、通信部２０を介して、店舗サーバ９０のデータベース９１から、その商品に関する商品情報（原材料情報を含む）を読み出す（ステップＳ２）。
【００８８】
ステップＳ３では、印字内容決定部８１ａが、ステップＳ２でデータベース９１から読み出された商品情報や、計量部３０から送信されてくる計量値に基づいて、ラベルに印字される印字内容を決定する。印字内容決定部８１ａは、印字内容の決定の際に、ラベルの発行対象の商品にアレルギー物質が含有されるか判断する。商品にアレルギー物質が含有されると判断される場合には、印字内容決定部８１ａは、印字内容にアレルギー物質を表記するマークＭを含める。
【００８９】
ステップＳ４では、領域サイズ調整部８１ｂが、印字内容決定部８１ａにより決定される印字内容に基づいて、印字内容に含まれる各項目を印字するための領域のサイズを調整する。印字内容決定部８１ａにより決定される印字内容にアレルギー物質を表記するマークＭを含む場合には、領域サイズ調整部８１ｂは、マークＭを印字するマーク印字用領域Ｒのサイズも調整する。
【００９０】
ステップＳ５では、レイアウト設定部８１ｃが、印字内容決定部８１ａにより決定された印字内容の各項目が、それぞれラベルの所定位置に配置されるように印字のレイアウトを設定する。レイアウト設定部８１ｃは、印字内容決定部８１ａにより決定された印字内容がアレルギー物質を表記するマークＭを含む場合には、マーク印字欄Ｂ内のマークＭの印字のレイアウトを、所定の様式に従って設定する。具体的には、レイアウト設定部８１ｃは、マーク印字欄Ｂ内の横方向における中央部にマークＭが印字されるよう、マーク印字欄Ｂ内のマークＭの印字のレイアウトを設定する。
【００９１】
ステップＳ６では、領域サイズ調整部８１ｂにより調整された、印字内容に含まれる各項目を印字するための領域（印字内容にマークＭを含む場合には、マーク印字用領域Ｒを含む）のサイズに基づいて、ラベルの長さ（高さ）を調整する。
【００９２】
ステップＳ７では、印字内容決定部８１ａが決定した印字内容に、アレルギー物質を表記するマークＭが含まれるか否かが判断される。印字内容がマークＭを含む場合にはステップＳ８に、印字内容がマークＭを含まない場合にはステップＳ９に進む。
【００９３】
ステップＳ８では、印字制御部８１ｆが、第１印字部６０にラベルＬ１の印字を指示する。第１印字部６０は、印字制御部８１ｆの指示で、ステップＳ３からステップＳ６の処理の結果や、印字色設定部８１ｅが設定しているアレルギー物質別のマークＭの色の設定等に基づいて、ラベルＬ１を印字し、発行する。第１印字部６０が印字したラベルＬ１は、ラベル発行口６０ａから発行される。
【００９４】
ステップＳ９では、印字制御部８１ｆが、第２印字部７０にラベルＬ２の印字を指示する。第２印字部７０は、印字制御部８１ｆの指示で、ステップＳ３からステップＳ６の処理の結果等に基づいて、（マークＭが印字されない）ラベルＬ２を印字し、発行する。第２印字部７０が印字したラベルＬ２は、ラベル発行口７０ａから発行される。
【００９５】
なお、以上のラベルの発行処理は一例であって、これに限定されるものではない。例えば、矛盾のない範囲でステップの順番が変更されてもよい。また、例えば、矛盾のない範囲で、ステップの一部が他のステップと並列的に実行されてもよい。
【００９６】
（４）特徴
（４−１）
上記実施形態に係る、ラベル発行装置の一例としての計量プリンタ１０は、商品に付されるラベルＬ１に印字を行う第１印字部６０を備え、第１印字部６０で印字されたラベルＬ１を発行する。第１印字部６０は、商品が、特定物質の一例であるアレルギー物質（ここでは、特に、特定原材料と呼ばれる７種類のアレルギー物質）を含むことをラベルＬ１に印字する場合に、アレルギー物質を表す図形およびアレルギー物質を表す文字を含むマークＭによって、アレルギー物質が表記されるように、ラベルＬ１に印字を行う。
【００９７】
ここでは、商品がアレルギー物質を含むことを示すためのラベルとして、アレルギー物質を表す図形および文字を含むマークＭが印字されたラベルＬ１が発行される。マークＭが印字されたラベルＬ１は、アレルギー物質の表記の視認性が高いため、消費者等はラベルＬ１が付された商品に含まれるアレルギー物質を、短時間で、正確に認識できる。
【００９８】
（４−２）
上記実施形態に係る計量プリンタ１０は、領域サイズ調整部８１ｂと、ラベル長調整部８１ｄと、を備える。領域サイズ調整部８１ｂは、ラベルＬ１に印字されるマークＭの数に基づいて、マークＭを印字するマーク印字用領域Ｒのサイズを調整する。ラベル長調整部８１ｄは、マーク印字用領域Ｒのサイズに基づいて、ラベルＬ１の長さを調整する。
【００９９】
ここでは、マークＭの数に基づいてマーク印字用領域Ｒのサイズが調整されるため、ラベルＬ１の、何も印字されない無駄な余白を抑制できる。そして、マーク印字用領域Ｒのサイズに基づいてラベルＬ１の長さが調整されるため、ラベルロールを節約でき経済的である。
【０１００】
（４−３）
上記実施形態に係る計量プリンタ１０では、第１印字部６０は、マークＭをラベルＬ１にカラーで印字する。
【０１０１】
ここでは、ラベルＬ１にマークＭがカラー印字されるため、アレルギー物質の表記の視認性が特に高く、消費者等が、ラベルＬ１に印字されたマークＭを見落としにくく、ラベルＬ１が付された商品に含まれるアレルギー物質を短時間で正確に認識しやすい。
【０１０２】
（４−４）
上記実施形態に係る計量プリンタ１０は、第１印字部６０とは別の、ラベルＬ２に白黒で印字を行う第２印字部７０を備える。第２印字部７０は、商品がアレルギー物質を含むことをラベルに印字する以外の場合に、ラベルＬ２に印字を行う。
【０１０３】
ここでは、アレルギー物質を表記するマークＭが第１印字部６０によりカラー印字され、一方で商品がアレルギー物質を含むことをラベルに印字する以外の場合には（すなわち、マークＭの印字が不要な場合には）、第２印字部７０がラベルＬ２を白黒で印字するため、ラベルの作成費用の増大を抑制することができる。
【０１０４】
（４−５）
上記実施形態に係る計量プリンタ１０では、アレルギー物質に複数の種類がある。計量プリンタ１０は、印字色設定部８１ｅを備える。印字色設定部８１ｅは、第１印字部６０がマークＭをラベルＬ１に印字する色を、アレルギー物質の種類別に設定する。
【０１０５】
ここでは、アレルギー物質の種類別に設定された色で、ラベルＬ１にマークＭが印字されるため、アレルギー物質の種類を、図形および文字だけではなく、更に色によっても認識できる。そのため、ラベルＬ１のアレルギー物質の表記の視認性をより高めることができる。
【０１０６】
（４−６）
上記実施形態に係る計量プリンタ１０は、レイアウト設定部８１ｃを備える。レイアウト設定部８１ｃは、ラベルの印字のレイアウトを設定する。第１印字部６０は、マーク印字欄Ｂを印字し、マーク印字欄Ｂ内にマークＭを印字する。レイアウト設定部８１ｃは、所定の様式に従って、マーク印字欄Ｂ内のマークＭの印字のレイアウトを設定する。具体的には、レイアウト設定部８１ｃは、マークＭの位置を、マーク印字欄Ｂ内でセンタリングする。
【０１０７】
ここでは、マーク印字欄Ｂ内におけるマークＭの印字のレイアウトが所定の様式に従って設定されるため、ラベルＬ１のマーク印字欄Ｂに、マークＭを視認性が高くなるように配置することができる。
【０１０８】
（５）変形例
上記の第１実施形態の変形例を以下に示す。なお、変形例は、互いに矛盾のない範囲で、複数組み合わされてもよい。
【０１０９】
（５−１）変形例１Ａ
上記実施形態では、商品が、特定原材料と呼ばれる７種類のアレルギー物質を含む場合に、第１印字部６０が、そのアレルギー物質を表記するマークＭを含むラベルＬ１を印字するが、これに限定されるものではない。
【０１１０】
例えば、第１印字部６０は、上記の７種類以外のアレルギー物質、例えば、特定原材料に準ずるものと呼ばれる２０種類のアレルギー物質（あわび、いか、いくら、オレンジ、カシューナッツ、キウイフルーツ、牛肉、くるみ、ごま、さけ、さば、大豆、鶏肉、バナナ、豚肉、まつたけ、もも、やまいも、りんご、ゼラチン）を含有する商品についても、そのアレルギー物質を表記するマークＭを含むラベルＬ１を印字するよう構成されてもよい。
【０１１１】
なお、このように構成される場合に、第１印字部６０は、例えば、上記の７種類以外のアレルギー物質（例えば、特定原材料に準ずるものと呼ばれる２０種類のアレルギー物質）については、白黒でマークＭを印字するよう構成されてもよい。さらに、計量プリンタ１０は、商品が上記の７種類のアレルギー物質を含まず、上記の７種類以外のアレルギー物質だけを含む場合には、第１印字部６０に代わって、第２印字部７０が、上記の７種類以外のアレルギー物質のマークＭをラベルＬ２に白黒で印字するよう構成されてもよい。
【０１１２】
また、例えば、第１印字部６０は、上記のように特定原材料と呼ばれる７種類のアレルギー物質を含む場合に、そのアレルギー物質のマークＭをラベルＬ１に印字すると共に、それ以外のアレルギー物質（例えば、特定原材料に準ずるものと呼ばれる２０種類のアレルギー物質）については、そのアレルギー物質を表す文字のみをラベルＬ１に印字するよう構成されてもよい。
【０１１３】
（５−２）変形例１Ｂ
上記実施形態では、商品が、特定物質としてのアレルギー物質を含む場合に、第１印字部６０が、アレルギー物質を表記するマークＭをラベルＬ１に印字する。ただし、特定物質は、アレルギー物質に限定されない。
【０１１４】
例えば、計量プリンタ１０は、ベジタリアン等を対象に、商品に動物由来の各種原材料（例えば、肉、卵、乳製品、はちみつ等）が特定物質として含まれていることを、特定物質を表記するマークによりラベルＬ１に印字するものであってもよい。
【０１１５】
（５−３）変形例１Ｃ
上記実施形態では、ラベル発行装置の一例として計量プリンタ１０を示したが、ラベル発行装置は計量プリンタに限定されるものではない。例えば、ラベル発行装置は、計量部を有さないラベルプリンタ、食品売場等で用いられる対面はかり（対面はかりタイプのプリンタ）、商品の計量／包装／値付を行う計量包装値付装置等であってもよい。また、ラベル発行装置は、一体に構成される必要はなく、例えば、制御ユニット８０に相当するコンピュータと、第１印字部６０および第２印字部７０に相当する２台のプリンタとから構成されてもよい。
【０１１６】
（５−４）変形例１Ｄ
上記実施形態では、第１印字部６０は、アレルギー物質を表記するマークＭと共に、商品に関する各種情報（例えば、商品の価格等）をラベルＬ１に印字するが、これに限定されるものではない。第１印字部６０は、マークＭを含む、商品がアレルギー物質を含むことを示すための内容だけをラベルＬ１に印字するものであってもよい。
【０１１７】
例えば、第１印字部６０は、図９のように、“アレルギー表示"という文字と、マーク印字欄Ｂと、マークＭだけをラベルＬ１に印字するよう構成されてもよい。なお、図示しないが、第１印字部６０が印字する、商品がアレルギー物質を含むことを示すための内容には、商品の名称等、商品を特定できる情報を含めてもよい。第２印字部７０は、アレルギー物質を含むことを示すための内容以外の全てを、ラベルＬ２に印字するよう構成されてもよい。つまり、ここでは、商品がアレルギー物質を含む場合には、商品に付されるラベルとして、第１印字部６０により印字されるラベルＬ１（図９参照）と、第２印字部７０により印字されるラベルＬ２（図３参照）とが、発行される。
【０１１８】
このように構成される場合、カラー印字可能な第１印字部６０は、商品がアレルギー物質を含むことを示すための内容をラベルに印字する（マークＭをカラーで印字する）ためだけに用いられ、その他の内容は、白黒で印字を行う第２印字部７０により印字されるため、アレルギー物質を表記するマークＭをカラー印字しても、ラベルの作成費用の増大は、最小限に抑制することができる。
【０１１９】
（５−５）変形例１Ｅ
上記実施形態において、第１印字部６０は、商品がアレルギー症状の重いアレルギー物質（例えば、蕎麦および落花生）を含むことをラベルＬ１に印字する場合に、そのアレルギー症状の重いアレルギー物質を表記するマークが強調して表記されるよう、ラベルＬ１に印字を行うことが好ましい。
【０１２０】
具体的には、例えば、第１印字部６０は、図３に示すように、アレルギー症状の重いアレルギー物質である蕎麦および落花生を表記するマークＭについては、その他のアレルギー物質を表記するマークＭよりも上側かつ左側に（つまりアレルギー表示の先頭に）印字するよう構成されることが好ましい。
【０１２１】
また、例えば、第１印字部６０は、アレルギー症状の重いアレルギー物質である蕎麦および落花生を表記するマークＭ１については、その他のアレルギー物質を表記するマークＭ２よりも大きく印字するよう構成されることが好ましい（図１０参照）。
【０１２２】
また、例えば、印字色設定部８１ｅは、アレルギー症状の重いアレルギー物質については、マークＭの色を特に目立つ色（例えば赤）に設定し、その他のアレルギー物質については、マークＭの色をそれ以外の色（例えば黒）に設定することが好ましい。つまり、第１印字部６０は、アレルギー症状の重いアレルギー物質である蕎麦および落花生を表記するマークＭについては特に目立つ色で、その他のアレルギー物質を表記するマークＭはその他の色で印字するよう構成されることが好ましい。
【０１２３】
このように、アレルギー症状の重いアレルギー物質を表記するマークの視認性を高めることで、消費者等がアレルギー症状の重いアレルギー物質の含有を見落とす可能性を特に低減できる。
【０１２４】
（５−６）変形例１Ｆ
上記実施形態では、第１印字部６０は、商品が含有しないアレルギー物質に関してはラベルＬ１に何も情報を印字しないが、これに限定されるものではない。
【０１２５】
例えば、第１印字部６０は、商品がアレルギー症状の重いアレルギー物質（例えば、蕎麦および落花生）を含まない場合に、そのアレルギー症状の重いアレルギー物質を含まないことが表記されるよう、ラベルＬ１に印字を行ってもよい。
【０１２６】
具体的には、例えば、商品がアレルギー症状の重いアレルギー物質である蕎麦および落花生を含まない場合、蕎麦および落花生を含まないことが表記されるよう、第１印字部６０は、図１１のように、含有していないことを示す符号（ここでは？印）を付した蕎麦および落花生のマークＭを、ラベルＬ１に印字してもよい。
【０１２７】
ここでは、アレルギー症状の重いアレルギー物質が商品に含まれないことがラベルＬ１に印字されるため、そのアレルギー物質にアレルギーを持つ消費者が、そのアレルギー物質を含まない商品であることを容易に認識した上で、安心して商品を購入することができる。
【０１２８】
（５−７）変形例１Ｇ
上記実施形態では、ラベルＬ１のマーク印字用領域Ｒ（マーク印字欄Ｂ内）に、マークＭが詰めて配置される。具体例を上げて説明すれば、商品が３種類のアレルギー物質を含む場合、ラベルＬ１のマーク印字用領域Ｒには、３個のマークＭが横一列に配置される（図６Ａ参照）。ただし、これに限定されるものではない。
【０１２９】
例えば、第１印字部６０は、同じアレルギー物質については、常にマークＭを同じ位置に印字するよう構成されてもよい。具体例を上げて説明すれば、例えば、商品が７種類全てのアレルギー物質を含む場合に、図６Ｂのような配置でマーク印字用領域ＲにマークＭが配置されるようレイアウトが決定されていたとする。この場合に、例えば、商品が“そば、落花生、乳"の３種類をアレルギー物質として含む時には、第１印字部６０は、図１２のような配置で（つまり、図６Ｂと、マーク印字用領域Ｒのサイズと、マーク印字用領域Ｒ内における各マークＭの位置は変えずに）、３個のマークＭをラベルＬ１に印字してもよい。
【０１３０】
このように構成されることで、消費者等は、マークＭ自体に加え、マークＭの配置からも、その商品に含まれているアレルギー物質を認識できるため、ラベルＬ１が付された商品に含まれるアレルギー物質を、短時間で、正確に認識できる。
【０１３１】
ただし、このように構成される場合には、マーク印字用領域Ｒのサイズが固定されていることから、ラベルロールがより消費されるおそれがある。そのため、マーク印字用領域Ｒのサイズ調整をしても、ラベルＬ１の長さが短くならない場合に、このような印字のレイアウトが利用されることがより好ましい。
【０１３２】
＜第２実施形態＞
本発明のラベル発行装置の第２実施形態に係る計量プリンタ１１０について、図面を参照しながら説明する。
【０１３３】
（１）全体構成
図１３に計量プリンタ１１０の外観斜視図を示す。
【０１３４】
計量プリンタ１１０は、主に、印字部を１つしか有さない点で、第１実施形態の計量プリンタ１０と相違する（図１３および図１４参照）。計量プリンタ１１０の用途等は、第１実施形態の計量プリンタ１０と同様である。
【０１３５】
（２）詳細構成
計量プリンタ１１０は、図１３および図１４に示すように、通信部２０と、計量部３０と、液晶モニタ４０と、操作パネル５０と、第１印字部１６０と、制御ユニット１８０と、を主に有する。ここでは、第１実施形態の計量プリンタ１０と相違する、第１印字部１６０および制御ユニット１８０についてのみ、詳細に説明する。通信部２０、計量部３０、液晶モニタ４０、および操作パネル５０についての説明は省略する。
【０１３６】
（２−１）第１印字部
第１印字部１６０は、商品に付されるラベルに印字を行う。第１印字部１６０により印字されたラベルは、計量プリンタ１１０の前面に設けられたラベル発行口１６０ａ（図１３参照）から発行される。
【０１３７】
第１印字部１６０は、第１実施形態の計量プリンタ１０とは異なり、全ての商品に関し（アレルギー物質の含有の有無に関わらず）、所定の内容をラベルに印字する。なお、第２実施形態でも、特定原材料と呼ばれる７種類のアレルギー物質（えび、かに、小麦、そば、卵、乳、落花生）のことを、アレルギー物質と呼ぶ。
【０１３８】
第１印字部１６０は、モノクロ（白黒）プリンタである。第１印字部１６０は、例えば、ダイレクトサーマル方式のプリンタである。ただし、第１印字部１６０の印字方式は例示であって、熱転写式、インクジェット式等、種々の印字方式を利用可能である。また、第１印字部１６０は、カラープリンタであってもよい。
【０１３９】
第１印字部１６０は、切断手段１６０ｂを有する（図１４参照）。切断手段１６０ｂは、第１実施形態の切断手段６０ｂと同様であるので、説明は省略する。
【０１４０】
第１印字部１６０は、モノクロプリンタであるため、マークＭも含め、全ての印字内容を白黒で印字する。その他の点は、第１印字部１６０も第１実施形態の第１印字部６０と同様であるため、詳細な説明は省略する。
【０１４１】
（２−２）制御ユニット
制御ユニット１８０は、通信部２０、計量部３０、液晶モニタ４０、操作パネル５０、および第１印字部１６０と電気的に接続されている（図２参照）。制御ユニット１８０は、接続された計量プリンタ１１０の各構成から各種情報を受け付けると共に、各構成の動作を制御する。
【０１４２】
制御ユニット１８０は、主にＣＰＵから構成される制御部１８１と、主にＲＯＭ、ＲＡＭ等から構成される記憶部８２と、を含む。制御部１８１は、記憶部８２に記憶されたプログラムを実行することで、計量プリンタ１１０の各部の制御を行う。記憶部８２は、制御部１８１が実行するためのプログラムの他、各種情報を記憶する。
【０１４３】
制御部１８１は、ラベルの印字に関連する機能部として、印字内容決定部８１ａ、領域サイズ調整部８１ｂ、レイアウト設定部８１ｃ、ラベル長調整部８１ｄ、および印字制御部１８１ｆを有する。制御部１８１は、第１実施形態の制御部８１と異なり、印字色設定部８１ｅを有さない。印字内容決定部８１ａ、領域サイズ調整部８１ｂ、レイアウト設定部８１ｃ、およびラベル長調整部８１ｄは、（第２印字部が存在しないため）全て第１印字部１６０の印字に関する処理を行う点を除き、第１実施形態と同様であるため、詳細な説明は省略する。
【０１４４】
（２−２−１）印字制御部
印字制御部１８１ｆは、第１印字部１６０を制御し、第１印字部１６０にラベルの印字を実行させる。つまり、印字制御部１８１ｆは、第１印字部１６０に対してのみラベルの印字を指示する点で、第１実施形態の印字制御部８１ｆと相違する。
【０１４５】
（３）ラベル発行処理の流れ
計量プリンタ１１０のラベルの発行処理の流れについては、全てのラベル（つまり、第１実施形態のラベルＬ１およびラベルＬ２に相当するラベル）を第１印字部１６０が印字する点を除き同様であるため、説明は省略する。
【０１４６】
（４）特徴
第２実施形態の計量プリンタ１１０も、第１実施形態の計量プリンタ１０の（４−１）、（４−２）、および（４−６）と同様の特徴を有する。
【０１４７】
また、第１印字部１６０をカラープリンタとした場合、第２実施形態の計量プリンタ１１０も、第１実施形態の計量プリンタ１０の（４−３）と同様の特徴を有する。
【０１４８】
（５）変形例
第１実施形態の変形例は、矛盾のない範囲で、第２実施形態に係る計量プリンタ１１０に適用されてもよい。
【産業上の利用可能性】
【０１４９】
本発明に係るラベル発行装置は、物品が特定物質を含むことを示す表記の視認性が高く、物品に含まれる物質の誤認が発生しにくいラベルを発行するラベル発行装置として有用である。
【符号の説明】
【０１５０】
１０，１１０  計量プリンタ（ラベル発行装置）
６０，１６０  第１印字部
７０  第２印字部
８１ｂ  領域サイズ調整部
８１ｃ  レイアウト設定部
８１ｄ  ラベル長調整部
８１ｅ  印字色調整部
Ｂ  マーク印字欄
Ｌ１  ラベル
Ｌ２  ラベル
Ｍ，Ｍ１，Ｍ２  マーク
Ｒ  マーク印字用領域
【先行技術文献】
【特許文献】
【０１５１】
【特許文献１】特開２００２−３６１９４１号公報
【図１】
2016144915.tif 000003
【図２】
2016144915.tif 000004
【図３】
2016144915.tif 000005
【図４】
2016144915.tif 000006
【図５】
2016144915.tif 000007
【図６Ａ】
2016144915.tif 000008
【図６Ｂ】
2016144915.tif 000009
【図７】
2016144915.tif 000010
【図８】
2016144915.tif 000011
【図９】
2016144915.tif 000012
【図１０】
2016144915.tif 000013
【図１１】
2016144915.tif 000014
【図１２】
2016144915.tif 000015
【図１３】
2016144915.tif 000016
【図１４】
2016144915.tif 000017